(57)【要約】【課題】ＣＤ−Ｒなどの記録媒体やＨＤＤ等の記憶手段に高画素数、適正な容量のファイルを記録することができる情報記録装置及び情報記録方法並びに記録プログラムの提供。【解決手段】デジタルカメラやメディアから画像ファイルを入力するファイル入力手段１０と、入力された画像ファイルの画素数と、規格の標準的な画素数より高精細な特定の画素数とを比較する画素数比較手段１２と、画素数が異なる場合に、元の画像ファイルの画素数に関わらず該画像ファイルをその画素数が特定の画素数となるように変換する画素数変換手段１３ａと、画像ファイルを画像再生機器で利用可能な形式に変換するファイル形式変換手段１３ｂと、変換された画像ファイル、又は、変換された画像ファイル及び入力された画像ファイルを記録するファイル記録手段１４とを少なくとも備え、画像ファイルを常に高画素数で記録媒体に記録する。【選択図】図５
2005160049.tif 000002
【特許請求の範囲】
【請求項１】
入力したファイルを記録媒体に記録する情報記録装置において、
前記ファイルを入力する手段と、
前記ファイルの画素数と、予め定められた特定の画素数とを比較する手段と、
前記ファイルの画素数と前記特定の画素数とが異なる場合に、前記ファイルを、その画素数が前記特定の画素数となるように変換する手段と、
前記画素数を変換したファイル、又は、前記画素数を変換したファイル及び前記入力したファイルを前記記録媒体に記録する手段と、を少なくとも備えることを特徴とする情報記録装置。
【請求項２】
前記特定の画素数とは、前記記録媒体に対応する規格で設定可能な範囲の中から選択された画素数であることを特徴とする請求項１記載の情報記録装置。
【請求項３】
前記特定の画素数とは、前記記録媒体がＣＤ−Ｒ／ＲＷの場合は、３６０×２４０画素より多い画素数、前記記録媒体がＤＶＤ±Ｒ／ＲＷの場合は、７２０×４８０画素よりも多い画素数、前記記録媒体がＢｌｕ−ｒａｙディスクの場合は、垂直方向７００画素よりも多い画素数であることを特徴とする請求項２記載の情報記録装置。
【請求項４】
入力した１又は複数のファイルを記録媒体又は記憶手段に記録する情報記録装置において、
前記ファイルを入力する手段と、
前記記録媒体又は前記記憶手段の記録可能な容量と、前記ファイルの合計容量とを比較する手段と、
前記ファイルの合計容量が前記記録可能な容量よりも大きい場合に、前記ファイルを圧縮する手段と、
前記圧縮したファイル、又は、前記圧縮したファイル及び前記入力したファイルを前記記録媒体又は前記記憶手段に記録する手段と、を少なくとも備えることを特徴とする情報記録装置。
【請求項５】
前記圧縮手段では、前記ファイルの画素数を変えることなく、色情報又はフレーム数を減らして前記ファイルを圧縮することを特徴とする請求項４記載の情報記録装置。
【請求項６】
更に、前記入力したファイル、前記画素数を変換したファイル又は前記圧縮したファイルを、Ｖｉｄｅｏ−ＣＤ、ＤＶＤ−Ｖｉｄｅｏ又はＨＤＴＶのいずれかの規格のファイルに変換する手段を備えることを特徴とする請求項１乃至５のいずれか一に記載の情報記録装置。
【請求項７】
前記記録する手段では、ディスク型の前記記録媒体の、前記画素数を変換したファイル及び前記圧縮したファイルの少なくとも一方、又は、前記画素数を変換したファイル及び前記圧縮したファイルの少なくとも一方及び前記入力したファイルが記録される領域よりも内側の領域に、前記規格を変換したファイルを記録することを特徴とする請求項６記載の情報記録装置。
【請求項８】
前記ファイルは、デジタルカメラで撮影された写真画像に基づく画像ファイルであることを特徴とする請求項１乃至７のいずれか一に記載の情報記録装置。
【請求項９】
コンピュータを、少なくとも、
入力したファイルの画素数と、予め定められた特定の画素数とを比較する手段、
前記ファイルの画素数と前記特定の画素数とが異なる場合に、前記ファイルを、その画素数が前記特定の画素数となるように変換する手段、
前記画素数を変換したファイル、又は、前記画素数を変換したファイル及び前記入力したファイルを前記記録媒体に記録する手段、として機能させることを特徴とする記録プログラム。
【請求項１０】
前記特定の画素数とは、前記記録媒体に対応する規格で設定可能な範囲の中から選択された画素数であることを特徴とする請求項９記載の記録プログラム。
【請求項１１】
前記特定の画素数とは、前記記録媒体がＣＤ−Ｒ／ＲＷの場合は、３６０×２４０画素より多い画素数、前記記録媒体がＤＶＤ±Ｒ／ＲＷの場合は、７２０×４８０画素よりも多い画素数、前記記録媒体がＢｌｕ−ｒａｙディスクの場合は、垂直方向７００画素よりも多い画素数であることを特徴とする請求項１０記載の記録プログラム。
【請求項１２】
コンピュータを、少なくとも、
入力した１又は複数ファイルの合計容量と、該ファイルを記録する記録媒体又は記憶手段の記録可能な容量とを比較する手段、
前記ファイルの合計容量が前記記録可能な容量よりも大きい場合に、前記ファイルを圧縮する手段、
前記圧縮したファイル、又は、前記圧縮したファイル及び前記入力したファイルを前記記録媒体又は前記記憶手段に記録する手段、として機能させることを特徴とする記録プログラム。
【請求項１３】
前記圧縮手段では、前記ファイルの画素数を変えることなく、色情報又はフレーム数を減らして前記ファイルの容量を圧縮することを特徴とする請求項１２記載の記録プログラム。
【請求項１４】
更に、コンピュータを、更に、前記入力したファイル、前記画素数を変換したファイル又は前記圧縮したファイルを、Ｖｉｄｅｏ−ＣＤ、ＤＶＤ−Ｖｉｄｅｏ又はＨＤＴＶのいずれかの規格のファイルに変換する手段、として機能させることを特徴とする請求項９乃至１３のいずれか一に記載の記録プログラム。
【請求項１５】
前記記録する手段では、ディスク型の前記記録媒体の、前記画素数を変換したファイル及び前記圧縮したファイルの少なくとも一方、又は、前記画素数を変換したファイル及び前記圧縮したファイルの少なくとも一方及び前記入力したファイルが記録される領域よりも内側の領域に、前記規格を変換したファイルを記録することを特徴とする請求項１４記載の記録プログラム。
【請求項１６】
前記ファイルは、デジタルカメラで撮影された写真画像に基づく画像ファイルであることを特徴とする請求項９乃至１５のいずれか一に記載の記録プログラム。
【請求項１７】
ファイルを入力するステップと、
前記ファイルの画素数と、予め定められた特定の画素数とを比較するステップと、
前記ファイルの画素数と前記特定の画素数とが異なる場合に、前記ファイルを、その画素数が前記特定の画素数となるように変換するステップと、
前記画素数を変換したファイル、又は、前記画素数を変換したファイル及び前記入力したファイルを前記記録媒体に記録するステップと、を少なくとも備えることを特徴とする情報記録方法。
【請求項１８】
前記特定の画素数とは、前記記録媒体に対応する規格で設定可能な範囲の中から選択された画素数であることを特徴とする請求項１７記載の情報記録方法。
【請求項１９】
前記特定の画素数とは、前記記録媒体がＣＤ−Ｒ／ＲＷの場合は、３６０×２４０画素より多い画素数、前記記録媒体がＤＶＤ±Ｒ／ＲＷの場合は、７２０×４８０画素よりも多い画素数、前記記録媒体がＢｌｕ−ｒａｙディスクの場合は、垂直方向７００画素よりも多い画素数であることを特徴とする請求項１８記載の情報記録方法。
【請求項２０】
１又は複数のファイルを入力するステップと、
前記記録媒体又は前記記憶手段の記録可能な容量と、前記ファイルの合計容量とを比較するステップと、
前記ファイルの容量が前記記録容量よりも大きい場合に、前記ファイルを圧縮するステップと、
前記圧縮したファイル、又は、前記圧縮したファイル及び前記入力したファイルを前記記録媒体又は前記記憶手段に記録するステップと、を少なくとも備えることを特徴とする情報記録方法。
【請求項２１】
前記圧縮ステップでは、前記ファイルの画素数を変えることなく、色情報又はフレーム数を減らして前記ファイルの容量を圧縮することを特徴とする請求項２０記載の情報記録方法。
【請求項２２】
更に、前記入力したファイル、前記画素数を変換したファイル又は前記圧縮したファイルを、Ｖｉｄｅｏ−ＣＤ、ＤＶＤ−Ｖｉｄｅｏ又はＨＤＴＶのいずれかの規格のファイルに変換するステップを備えることを特徴とする請求項１７乃至２１のいずれか一に記載の情報記録方法。
【請求項２３】
前記記録するステップでは、ディスク型の前記記録媒体の、前記画素数を変換したファイル及び前記圧縮したファイルの少なくとも一方、又は、前記画素数を変換したファイル及び前記圧縮したファイルの少なくとも一方及び前記入力したファイルが記録される領域よりも内側の領域に、前記規格を変換したファイルを記録することを特徴とする請求項２２記載の情報記録方法。
【請求項２４】
前記ファイルは、デジタルカメラで撮影された写真画像に基づく画像ファイルであることを特徴とする請求項１７乃至２３のいずれか一に記載の情報記録方法。
【発明の詳細な説明】
【技術分野】
【０００１】
本発明は、情報記録装置及び情報記録方法並びに記録プログラムに関し、特に、画像ファイルを高精細な画素数で記録媒体に記録する情報記録装置及び情報記録方法並びに記録プログラムに関する。
【背景技術】
【０００２】
近年、写真に関連する様々なサービスが提供されるようになってきている。例えば、ユーザがデジタルカメラで写真を撮影し、写真の画像ファイルを記録したデジタルカメラやデジタルカメラ用メディアをミニラボ等の写真店に持ち込むと、写真店では情報記録装置を用いてデジタルカメラやメディアから画像ファイルを読み取り、ＣＤ−ＲやＤＶＤ−Ｒなどの記録媒体に書き込むサービスが行われている（例えば、特開平５−１８２３７３号公報等）。また、デジタルカメラで撮影して得られた静止画像ファイルや動画ファイルを、ＤＶＤプレーヤーやＤＶＤレコーダーなどの画像再生機器で再生可能なＶｉｄｅｏ−ＣＤやＤＶＤ−Ｖｉｄｅｏなどの規格のファイルに変換してＣＤ−ＲやＤＶＤ−Ｒなどの記録媒体に書き込むサービスも行われている。
【０００３】
【特許文献１】特開平５−１８２３７３号公報（第４−６頁、第３図）
【発明の開示】
【発明が解決しようとする課題】
【０００４】
デジタルカメラでは、一連の画像ファイルは撮像手段で定められる画素数のファイルとして記録されるが、例えば、デジタルカメラで得られた静止画像ファイルを基にしてＶｉｄｅｏ−ＣＤ規格のファイルを作成する場合、通常、Ｖｉｄｅｏ−ＣＤ規格の標準的な画素数（３６０×２４０画素など）に変換されてファイルが作成される。このＶｉｄｅｏ−ＣＤ規格の標準的な画素数は、７００Ｍ程度の容量のＣＤ−Ｒに９０分程度の動画が再生できるようにするために設定されたものであるが、この程度の画素数ではデジタルカメラで得られた画質の高い画像ファイルを十分に再現することができないという問題がある。
【０００５】
ここで、デジタルカメラで得られた静止画像ファイルを基にして画像再生機器で再生可能な動画ファイルを作成する場合、静止画像が一定間隔で表示されるスライドショーの動画ファイルが作成されるが、スライドショーの再生時間は高々、数分から十数分程度であるため、ＣＤ−Ｒ等の記録媒体の容量には十分な余裕があり、標準的な画素数より高精細な画素数でファイルを作成することが可能であり、現在のＣＤ-Ｒ書き込みサービスでは記録媒体の容量を十分に活用しているとは言い難い。
【０００６】
また、記録しようする画像ファイル自体の容量がＣＤ−Ｒ、ＤＶＤ−Ｒ、Ｂｌｕ−ｒａｙディスクなどの記録媒体の記録可能な容量を超えてしまう場合があり、この場合には画像ファイルの容量を小さくする必要があるが、画像ファイルの画素数を落としてしまうと画質が劣化してしまうと共に、記録するたびに画素数が変わってしまい、バックアップする画像ファイルの統一性がなくなってしまう。
【０００７】
上記した問題は、画像ファイルをＤＶＤ−Ｒに記録するためにＤＶＤ−Ｖｉｄｅｏ規格のファイルに変換する場合や、画像ファイルをＢｌｕ−ｒａｙディスクに記録するためのＨＤＴＶ規格のファイルに変換する場合にも同様に生じ、また、画像ファイルを記録媒体に記録する場合に限らず、ハードディスクドライブなどの内部記憶手段に記録する場合でも同様に生じる。更に、画像ファイルを記録する場合に限らず、他の種類のファイルを記録する場合にも同様に生じる。
【０００８】
本発明は、上記問題点に鑑みてなされたものであって、その主たる目的は、ＣＤ−Ｒ／ＲＷやＤＶＤ±Ｒ／ＲＷ、ＤＶＤ−ＲＡＭ、Ｂｌｕ−ｒａｙディスクなどの記録媒体やＨＤＤ等の記憶手段に高画素数、適正な容量のファイルを記録することができる情報記録装置及び情報記録方法並びに記録プログラムを提供することにある。
【課題を解決するための手段】
【０００９】
上記目的を達成するため、本発明の情報記録装置は、入力したファイルを記録媒体に記録する情報記録装置において、前記ファイルを入力する手段と、前記ファイルの画素数と、予め定められた特定の画素数とを比較する手段と、前記ファイルの画素数と前記特定の画素数とが異なる場合に、前記ファイルを、その画素数が前記特定の画素数となるように変換する手段と、前記画素数を変換したファイル、又は、前記画素数を変換したファイル及び前記入力したファイルを前記記録媒体に記録する手段と、を少なくとも備えるものである。
【００１０】
本発明においては、前記特定の画素数とは、前記記録媒体に対応する規格で設定可能な範囲の中から選択された画素数であることが好ましく、前記記録媒体がＣＤ−Ｒ／ＲＷの場合は、３６０×２４０画素より多い画素数、前記記録媒体がＤＶＤ±Ｒ／ＲＷの場合は、７０２×４８０又は７２０×４８０画素よりも多い画素数、前記記録媒体がＢｌｕ−ｒａｙディスクの場合は、垂直方向７００画素よりも多い画素数とすることができる。
【００１１】
また、本発明の情報記録装置は、入力した１又は複数のファイルを記録媒体又は記憶手段に記録する情報記録装置において、前記ファイルを入力する手段と、前記記録媒体又は前記記憶手段の記録可能な容量と、前記ファイルの合計容量とを比較する手段と、前記ファイルの合計容量が前記記録可能な容量よりも大きい場合に、前記ファイルを圧縮する手段と、前記圧縮したファイル、又は、前記圧縮したファイル及び前記入力したファイルを前記記録媒体又は前記記憶手段に記録する手段と、を少なくとも備えるものである。
【００１２】
本発明においては、前記圧縮手段では、前記ファイルの画素数を変えることなく、色情報又はフレーム数を減らして前記ファイルの容量を圧縮することが好ましい。
【００１３】
また、本発明においては、更に、前記入力したファイル、前記画素数を変換したファイル又は前記圧縮したファイルを、Ｖｉｄｅｏ−ＣＤ、ＤＶＤ−Ｖｉｄｅｏ又はＨＤＴＶのいずれかの規格のファイルに変換する手段を備える構成とすることができ、前記記録する手段では、ディスク型の前記記録媒体の、前記画素数を変換したファイル及び前記圧縮したファイルの少なくとも一方、又は、前記画素数を変換したファイル及び前記圧縮したファイルの少なくとも一方及び前記入力したファイルが記録される領域よりも内側の領域に、前記規格を変換したファイルを記録する構成とすることもできる。
【００１４】
また、本発明においては、前記ファイルは、デジタルカメラで撮影された写真画像に基づく画像ファイルとすることもできる。
【００１５】
また、本発明の記録プログラムは、コンピュータを、少なくとも、入力したファイルの画素数と、予め定められた特定の画素数とを比較する手段、前記ファイルの画素数と前記特定の画素数とが異なる場合に、前記ファイルを、その画素数が前記特定の画素数となるように変換する手段、前記画素数を変換したファイル、又は、前記画素数を変換したファイル及び前記入力したファイルを前記記録媒体に記録する手段、として機能させるものである。
【００１６】
また、本発明の記録プログラムは、コンピュータを、少なくとも、入力した１又は複数のファイルの合計容量と、該ファイルを記録する記録媒体又は記憶手段の記録可能な容量とを比較する手段、前記ファイルの合計容量が前記記録可能な容量よりも大きい場合に、前記ファイルを圧縮する手段、前記圧縮したファイル、又は、前記圧縮したファイル及び前記入力したファイルを前記記録媒体又は前記記憶手段に記録する手段、として機能させるものである。
【００１７】
また、本発明の情報記録方法は、ファイルを入力するステップと、前記ファイルの画素数と、予め定められた特定の画素数とを比較するステップと、前記ファイルの画素数と前記特定の画素数とが異なる場合に、前記ファイルを、その画素数が前記特定の画素数となるように変換するステップと、前記画素数を変換したファイル、又は、前記画素数を変換したファイル及び前記入力したファイルを前記記録媒体に記録するステップと、を少なくとも備えるものである。
【００１８】
また、本発明の情報記録方法は、１又は複数のファイルを入力するステップと、前記記録媒体又は前記記憶手段の記録可能な容量と、前記ファイルの合計容量とを比較するステップと、前記ファイルの合計容量が前記記録可能な容量よりも大きい場合に、前記ファイルを圧縮するステップと、前記圧縮したファイル、又は、前記圧縮したファイル及び前記入力したファイルを前記記録媒体又は前記記憶手段に記録するステップと、を少なくとも備えるものである。
【００１９】
このように、本発明の情報記録装置に、入力されたファイルの画素数と、ファイルを記録する記録媒体に対応する規格において標準的に設定される画素数よりも高精細な特定の画素数とを比較する画素数比較手段と、画素数が異なる場合に、元のファイルの画素数に関わらず、該ファイルをその画素数が特定の画素数となるように変換する画素数変換手段とを備えることにより、入力されたファイルが常に高画素数で記録媒体に記録されるため、記録されたファイルを高画質で再生することができる。
【００２０】
また、情報記録装置に、入力されたファイルを記録する記録媒体やＨＤＤ等の記録先の記録可能な容量と、入力された１又は複数のファイルの合計容量とを比較する容量比較手段と、ファイルの合計容量が記録先の記録可能な容量を超える場合に、ファイルの画素数を変えずに容量を圧縮するファイル圧縮手段とを備えることにより、入力されたファイルが適正な容量で記録媒体に記録されるため、記録先の記録容量不足で記録ができない等の不具合を防止することができる。
【発明の効果】
【００２１】
本発明の情報記録装置及び情報記録方法並びに記録プログラムによれば、下記記載の効果を奏する。
【００２２】
本発明の第１の効果は、入力されたファイルの画素数に関わらず、常に高画素数で記録媒体に記録することができるということである。
【００２３】
その理由は、入力されたファイルの画素数と、ファイルを記録する記録媒体に対応する規格において標準的に設定される画素数よりも高精細な特定の画素数とを比較する画素数比較手段と、画素数が異なる場合に、元のファイルの画素数に関わらず、該ファイルをその画素数が特定の画素数となるように変換する画素数変換手段とを備えているからである。
【００２４】
また、本発明の第２の効果は、入力されたファイルの容量が大きい場合であっても、画素数を低下させることなく、適正な容量のファイルとして記録先に記録することができるということである。
【００２５】
その理由は、入力されたファイルを記録する記録媒体やＨＤＤ等の記録先の記録可能な容量と、入力された１又は複数のファイルの合計容量とを比較する容量比較手段と、ファイルの合計容量が記録先の記録可能な容量を超える場合に、ファイルの画素数を変えずに容量を圧縮するファイル圧縮手段とを備えているからである。
【００２６】
そして、このような手段を用いて、デジタルカメラで取得した画像ファイルを記録媒体に記録することにより、画像ファイルを高画素数で再生することができ、記録媒体の利用価値を高めることができる。
【発明を実施するための最良の形態】
【００２７】
本発明の情報記録装置は、その好ましい一実施の形態において、デジタルカメラやメディアから１又は複数の画像ファイルを入力するファイル入力手段と、入力された画像ファイルの画素数と、画像ファイルを記録する記録媒体に対応する規格の標準的な画素数より高精細な特定の画素数とを比較する画素数比較手段と、画素数が異なる場合に、元の画像ファイルの画素数に関わらず、該画像ファイルの画素数を特定の画素数に変換する画素数変換手段と、記録媒体の記録可能な容量と、特定の画素数に設定された画像ファイルの合計容量とを比較する容量比較手段と、画像ファイルの合計容量が記録媒体の記録可能な容量を超える場合に、画像ファイルの画素数を変えずに容量を圧縮するファイル圧縮手段と、必要に応じて画素数が変換又は容量が圧縮された画像ファイルを画像再生機器で利用可能な形式に変換するファイル変換手段と、変換された画像ファイル、又は、変換された画像ファイル及び元の画像ファイルを記録するファイル記録手段とを少なくとも備えるものであり、画像ファイルが常に高画素数かつ適正な容量で記録媒体に記録されるため、利用価値の高い記録媒体を作成することができる。
【実施例１】
【００２８】
上記実施形態について詳細に説明すべく、本発明の第１の実施例に係る情報記録装置及び情報記録方法並びに記録プログラムについて、図１乃至図８を参照して説明する。図１乃至図４は、本実施例に係る情報記録装置の構成を模式的に示す外観図である。また、図５は、情報記録装置の機能を示すブロック図であり、図６は、本実施例の情報記録方法の手順を示すフローチャート図である。また、図７は、本実施例の記録媒体におけるファイルの記録領域を模式的に示す図であり、図８は、記録媒体（ＣＤ−Ｒ）の構造を模式的に示す図である。
【００２９】
図１に示すように、本実施例の情報記録装置１は、スマートメディア、コンパクトフラッシュ（登録商標）、メモリースティック（登録商標）、ＳＤメモリーカード、マルチメディアカードなどのデジタルカメラ用やカメラ付き携帯電話機用の記録媒体（以下、メディア８と呼ぶ。）を装填するメディア装填部２、デジタルカメラ７やカメラ付き携帯電話機７ａ等の撮影機器（以下、デジタルカメラ７として説明する。）を有線又は無線、赤外線等によって接続するための機器接続部３、インターネット等の通信ネットワーク１８を介してサーバ１９からファイルをダウンロードするネットワーク接続部等のファイル入力手段と、入力した静止画像ファイル、動画ファイル、楽曲音声ファイル、コンテンツファイル、アプリケーションファイル等（以下、単にファイルと呼ぶ。）を記録するＣＤ−Ｒ／ＲＷやＤＶＤ±Ｒ／ＲＷ、ＤＶＤ−ＲＡＭ、Ｂｌｕ−ｒａｙディスク等の記録媒体９を装填する記録媒体装填部４と、ボタン、キーボード、マウス等の操作部６及びＬＣＤ、ＣＲＴ等の表示部５（図では操作部６と表示部５とを兼ね備えるタッチパネルを示している。）とを備えている。
【００３０】
また、情報記録装置１の機能をブロック図で示すと図５のようになる。すなわち、メディア装填部２、機器接続部３、ネットワーク接続部等を用いてファイルを入力するファイル入力手段１０と、表示部５や操作部６等の情報入力手段１１と、入力されたファイルの画素数と、記録媒体に対応する規格で設定可能な画素数の中で、標準的に設定される画素数よりも高精細な画素数（以下、特定の画素数と呼ぶ。）とを比較する画素数比較手段１２と、入力されたファイルの画素数と特定の画素数とが異なる場合に、入力されたファイルの画素数に関わらず（すなわち、入力されたファイルの画素数が特定の画素数よりも多い場合も少ない場合も）、入力されたファイルをその画素数が特定の画素数となるように変換する画素数変換手段１３ａ及び特定の画素数に設定されたファイルをＤＶＤプレーヤーやＤＶＤレコーダーなどの画像再生機器で利用可能なＶｉｄｅｏ−ＣＤ、ＤＶＤ−Ｖｉｄｅｏ、ＨＤＴＶ等の規格のファイルに変換するファイル形式変換手段１３ｂ等のファイル編集手段１３と、変換されたファイル（画素数を変換したファイル及び規格を変換したファイルの少なくとも一方）、又は、変換された画像ファイル及び元の画像ファイルを記録媒体９に記録するファイル記録手段１４とを備えている。
【００３１】
なお、本明細書におけるファイルの画素数とは、画像ファイルの画素数のみならず、画像情報を一部に含むファイルの画像情報の画素数も含む概念である。また、本実施例では、入力された静止画像ファイルを画像再生機器で再生可能な形式の動画ファイルに変換する構成としているため、ファイル編集手段１３にファイル形式変換手段１３ｂを設けているが、入力されたファイルをパソコン等で利用する場合はファイル形式変換手段１３ｂを設ける必要はない。また、上記各手段は情報記録装置１内にハードウェアとして構成されていてもよいし、コンピュータを、少なくとも画素数比較手段１２、画素数変換手段１３ａ、ファイル記録手段１４として機能させる記録プログラムがインストールされ、該記録プログラムによって上記手段が実行される構成としてもよい。また、図１では写真店やコンビニエンスストア等の店舗に設置可能なキオスク型の情報記録装置１を記載しているが、情報記録装置１の形態は任意であり、例えば、図２に示すように専用のセットトップボックスとしたり、図３に示すようにポータブルライタなどとしてもよいし、図４に示すようにファイル入力手段１０を備えるパソコンに上記記録プログラムをインストールしてもよいし、ＤＶＤレコーダーなどを用いてもよい。
【００３２】
次に、上記構成の情報記録装置１を用いて、記録媒体９にファイルが記録されるまでの手順について、図６のフローチャート図を参照して説明する。なお、以下では、デジタルカメラで撮影して得られた静止画像ファイルから画像再生機器で再生可能な形式の動画ファイルを作成する場合について説明するが、ａｖｉ等の動画ファイルが入力された場合に該ファイルを画像再生機器で再生可能なｍｐｅｇ１、ｍｐｅｇ２等の動画ファイルに変換する場合や、デジタルカメラ固有の静止画像ファイルが入力された場合に該ファイルを画像再生機器で再生可能なｊｐｅｇ等の静止画像ファイルに変換する場合についても同様に適用することができる。
【００３３】
まず、ステップＳ１０１で、情報記録装置１の記録媒体装填部４にＣＤ−Ｒ／ＲＷやＤＶＤ±Ｒ／ＲＷ、ＤＶＤ−ＲＡＭ、Ｂｌｕ−ｒａｙディスク等の記録媒体９を装填する。この記録媒体９として市販されている任意の記録媒体を用いることができるが、特定の記録媒体９に対してのみファイルの変換が行われるようにしてもよく、その場合は、ステップＳ１０２で記録媒体９の所定の領域に記録媒体９を識別するための識別情報が記録されているか否かに基づいて記録媒体９を特定することができる。この識別情報の内容は限定されないが、識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００３４】
ここで、一般的な記録媒体９（ＣＤ−Ｒ）の構造について、図８を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００３５】
次に、ステップＳ１０３で、情報記録装置１のメディア装填部２にメディア８を装填、又は機器接続部３にデジタルカメラ７を接続、又はネットワーク接続部を通信ネットワーク１８に接続し、ステップＳ１０４で、ファイル入力手段１０を用いて、デジタルカメラ７やメディア８に格納された画像ファイルやサーバ１９に記録された画像ファイルを入力する。なお、記録媒体装填部４に装填する記録媒体９はファイルが記録されていない未使用の記録媒体としてもよいし、予めファイルが記録されている使用済みの記録媒体としてもよい。
【００３６】
次に、ステップＳ１０５で、画素数比較手段１２を用いて、入力されたファイルのヘッダ情報などを参照してファイルの画素数を取得し、このファイルの画素数と、予め定められた特定の画素数とを比較する。この特定の画素数とは、記録媒体９に対応する規格で設定可能な画素数の中から選択される画素数であり、従来は入力されたファイルが、上記範囲の中で標準的に設定される画素数（例えば、ＣＤ−Ｒの場合は７００ＭＢの容量に９０分程度の動画ファイルを記録できるように３６０×２４０画素、ＤＶＤ−Ｒの場合は４．９ＧＢ程度の容量に９０分程度の動画ファイルを記録できるように７２０×４８０画素、Ｂｌｕ−ｒａｙディスクの場合は２０ＧＢ程度の容量に２時間程度の動画ファイルを記録できるように垂直方向７００画素程度）に変換されていたが、本実施例では、ファイルをより高画質で再生することができるように、上記標準的に設定される画素数より高精細な画素数（例えば、ＣＤ−Ｒの場合は３６０×２４０より多い画素数、好ましくは７０２×４８０又は７２０×４８０画素、ＤＶＤ−Ｒの場合は７２０×４８０より多い画素数、好ましくは１０２４×７６８画素、Ｂｌｕ−ｒａｙディスクの場合は垂直方向７００画素より多い画素数、好ましくは１２８０×１０２４画素）に設定している。
【００３７】
そして、ステップＳ１０６で、入力されたファイルの画素数が特定の画素数と異なる場合は、ステップＳ１０７で、画素数変換手段１３ａを用いて、入力されたファイルの画素数を特定の画素数に変換する。ここで、画素数が異なる場合とは、入力されたファイルの画素数が特定の画素数よりも高い場合と低い場合とがあり、どちらの場合も入力されたファイルをその画素数が特定の画素数となるように変換する。例えば、入力されたファイルの画素数の方が高い場合は、ファイルの画素を間引きして特定の画素数とし、入力されたファイルの画素数の方が低い場合は、ファイルの画素を補完して特定の画素数とする。
【００３８】
次に、画像再生機器で再生可能なファイルを作成する場合は、ステップＳ１０８で、ファイル形式変換手段１３ｂを用いて、特定の画素数に設定されたファイル（静止画像ファイル）に予め定められたスライド効果に基づく差分データを付加する等の手法により、画像再生機器で再生可能な形式のファイル（例えば、ＣＤ−Ｒの場合はＶｉｄｅｏ−ＣＤ、ＤＶＤ−Ｒの場合はＤＶＤ−Ｖｉｄｅｏ、Ｂｌｕ−ｒａｙディスクの場合はＨＤＴＶ規格のファイル）を作成する。なお、上述したように画像再生機器で再生可能なファイルに変換しない場合はこのステップは省略することができる。また、ここでは、ステップＳ１０７の画素数の変換とステップＳ１０８のファイル形式の変換とをこの順で別々に行ったが、この手順は便宜上のものであり、ファイルの変換の際に画素数の変換も行うことができる場合はこれらの処理を同時に行う構成としてもよい。
【００３９】
そして、ステップＳ１０９で、データ記録手段１４を用いて、特定の画素数に設定したファイル及び該ファイルを画像再生機器で再生可能な形式に変換したファイルの少なくとも一方、又は、これらの少なくとも一方と元の画像ファイルとを記録媒体９に記録する。ここで、画像再生機器用のファイルと特定の画素数に設定したファイル及び元の画像ファイルの少なくとも一方とを記録媒体９に記録する場合、家電機器ではファイルを読み込むことができる記録領域が限定されるため、まず、家電機器用のファイルを記録媒体９の論理アドレス領域の内周側に書き込み、必要に応じてセッションをクローズした後、特定の画素数に設定したファイル及び元の画像ファイルの少なくとも一方のファイルや、必要に応じてサムネイル画像ファイルやスクリーンネイル画像ファイルなどの縮小画像ファイル、スライドショープログラムなどのアプリケーション、スライドショーの設定ファイル、情報ファイルなどを記録媒体９の先に記録した家電機器用のファイルの外側に書き込む。
【００４０】
上記画像再生機器用のファイルと特定の画素数に設定したファイル及び元の画像ファイルの少なくとも一方とを記録する場合、記録媒体９には、図７に示すように各種情報が記録され、ディスク型記録媒体９の最も内側の論理アドレス領域外には識別情報が記録され、その外側に位置する論理アドレス領域の内周側には家電機器用のファイルが記録され、更にその外側の領域には特定の画素数に設定したファイル及び元の画像ファイルの少なくとも一方のファイルなどが記録される。
【００４１】
このように、本実施例の情報記録装置及び情報記録方法並びに記録プログラムでは、入力されたファイルをそのまま、又は形式のみを変換して記録媒体９に記録するのではなく、記録媒体９に対応する規格で設定可能な範囲の中から選択された、標準的な画素数よりも高精細な特定の画素数に変換して記録するため、入力されたファイルを常に高画素数で記録媒体９に記録することができ、利用価値の高い記録媒体９を作成することができる。
【実施例２】
【００４２】
次に、本発明の第２の実施例に係る情報記録装置及び情報記録方法並びに記録プログラムについて、図９乃至図１１を参照して説明する。図９は、本実施例に係る情報記録装置の機能を示すブロック図であり、図１０及び図１１は、本実施例の情報記録方法の手順を示すフローチャート図である。
【００４３】
本実施例の情報記録装置１の機能をブロック図で示すと図９のようになる。すなわち、メディア装填部２、機器接続部３、ネットワーク接続部等を用いてファイルを入力するファイル入力手段１０と、表示部５や操作部６等の情報入力手段１１と、記録先（記録媒体９又はＨＤＤなどの内部記憶手段１７）の記録可能な容量と、入力された１又は複数のファイルの合計容量とを比較する容量比較手段１５と、入力されたファイルの合計容量が記録先の記録可能な容量を超える場合に、入力されたファイルの画素数を変えずに容量を圧縮するファイル圧縮手段１６及び適正な容量に圧縮されたファイルをＤＶＤプレーヤーやＤＶＤレコーダーなどの画像再生機器で利用可能なＶｉｄｅｏ−ＣＤ、ＤＶＤ−Ｖｉｄｅｏ、ＨＤＴＶ等の規格のファイルに変換するファイル形式変換手段１３ｂ等のファイル編集手段１３と、変換されたファイル（圧縮したファイル及び規格を変換したファイルの少なくとも一方）、又は、変換されたファイル及び元の画像ファイルを記録媒体９又はＨＤＤなどの内部記憶手段１７に記録するファイル記録手段１４とを備えている。
【００４４】
なお、本実施例でも、入力された静止画像ファイルを画像再生機器で再生可能な形式の動画ファイルに変換する構成としているため、ファイル編集手段１３にファイル形式変換手段１３ｂを設けているが、入力されたファイルをパソコン等で利用する場合はファイル形式変換手段１３ｂを設ける必要はない。また、上記各手段は情報記録装置１内にハードウェアとして構成されていてもよいし、コンピュータを、少なくとも容量比較手段１５、ファイル圧縮手段１６、ファイル記録手段１４として機能させる記録プログラムがインストールされ、該記録プログラムによって上記手段が実行される構成としてもよい。また、本実施例の情報記録装置１は、図１に示すようなキオスク型としてもよいし、図２に示すような専用のセットトップボックスとしたり、図３に示すようなポータブルライタとしてもよいし、図４に示すようにパソコンを用いたり、ＤＶＤレコーダーなどを用いてもよい。
【００４５】
次に、上記構成の情報記録装置１を用いて、記録媒体９にファイルが記録されるまでの手順について、図１０のフローチャート図を参照して説明する。なお、以下では、デジタルカメラで撮影して得られた静止画像ファイルから画像再生機器で再生可能な形式の動画ファイルを作成する場合について説明するが、ａｖｉ等の動画ファイルが入力された場合に該ファイルを画像再生機器で再生可能なｍｐｅｇ１、ｍｐｅｇ２等の動画ファイルに変換する場合や、デジタルカメラ固有の静止画像ファイルが入力された場合に該ファイルを画像再生機器で再生可能なｊｐｅｇ等の静止画像ファイルに変換する場合についても同様に適用することができる。
【００４６】
まず、ステップＳ２０１で、情報記録装置１の記録媒体装填部４にＣＤ−Ｒ／ＲＷやＤＶＤ±Ｒ／ＲＷ、ＤＶＤ−ＲＡＭ、Ｂｌｕ−ｒａｙディスク等の記録媒体９を装填し、必要に応じて、ステップＳ２０２で記録媒体９の所定の領域に記録媒体９を識別するための識別情報が記録されているか否かに基づいて記録媒体９を特定する。
【００４７】
次に、ステップＳ２０３で、情報記録装置１のメディア装填部２にメディア８を装填、又は機器接続部３にデジタルカメラ７を接続、又はネットワーク接続部を通信ネットワーク１８に接続し、ステップＳ２０４で、ファイル入力手段１０を用いて、デジタルカメラ７やメディア８に格納された画像ファイルやサーバ１９に記録された画像ファイルを入力する。
【００４８】
次に、ステップＳ２０５で、容量比較手段１５を用いて、記録先（記録媒体９又はＨＤＤ等の内部記憶手段１７）の記録可能な容量を取得（例えば、記録媒体９を記録先とする場合は、記録媒体９の論理アドレス領域外に記録されている情報などから記録媒体９の記録可能な容量を取得）し、この記録可能な容量と、入力された１又は複数のファイルの合計容量とを比較する。
【００４９】
そして、ステップＳ２０６で、入力されたファイルの合計容量が記録先の記録可能な容量を超える場合は、ステップＳ２０７で、ファイル圧縮手段１６を用いて、入力されたファイルの容量を減らすためにファイルの圧縮を行う。このファイルの圧縮方法として、ファイルの画素数を減らす方法もあるが、ファイルの画素数を減らすと第１の実施例で示したようにデジタルカメラで得られた高解像度のファイルなどを有効に活用することができなくなってしまう。そこで、本実施例では、画素数を変えることなく容量を減らすために、例えば、静止画像ファイルの場合は１６６７万色から２５６色に減色する等、静止画像ファイルの色情報などを減らしたり、動画ファイルの場合は、１秒当たりのフレーム数を減らす等、動画ファイルの時間情報を減らすなどによりファイルの容量を小さくして記録媒体９に収まるようにする。
【００５０】
次に、画像再生機器で再生可能なファイルを作成する場合は、ステップＳ２０８で、ファイル形式変換手段１３ｂを用いて、適正な容量に圧縮されたファイル（静止画像ファイル）に予め定められたスライド効果に基づく差分データを付加する等の手法により、画像再生機器で再生可能な形式のファイル（例えば、ＣＤ−Ｒの場合はＶｉｄｅｏ−ＣＤ、ＤＶＤ−Ｒの場合はＤＶＤ−Ｖｉｄｅｏ、Ｂｌｕ−ｒａｙディスクの場合はＨＤＴＶ規格のファイル）を作成する。なお、本実施例においても、画像再生機器で再生可能なファイルに変換しない場合はこのステップは省略することができる。また、ここでは、ステップＳ２０７のファイルの圧縮とステップＳ２０８のファイル形式の変換とをこの順で別々に行ったが、この手順は便宜上のものであり、例えば、１秒当たりのフレーム数を減らす場合にはファイルの変換の際にファイルの圧縮も行う方が都合がよいことから、これらの処理を同時に行う構成としてもよい。
【００５１】
そして、ステップＳ２０９で、データ記録手段１４を用いて、適正な容量に圧縮したファイル及び該ファイルを画像再生機器で再生可能な形式に変換したファイルの少なくとも一方、又はこれらの少なくとも一方のファイルと元の画像ファイルとを記録媒体９又は内部記憶手段１７に記録する。その際、画像再生機器で再生可能な形式に変換したファイルと適正な容量に圧縮したファイル及び元の画像ファイルの少なくとも一方とを記録媒体９に記録する場合は、家電機器用のファイルを記録媒体９の論理アドレス領域の内周側に書き込み、必要に応じてセッションをクローズした後、適正な容量に圧縮したファイル及び元の画像ファイルの少なくとも一方のファイルや、必要に応じて縮小画像ファイル、スライドショープログラムなどのアプリケーション、スライドショーの設定ファイル、情報ファイルなどを記録媒体９の先に記録した家電機器用のファイルの外側に書き込む。
【００５２】
このように、本実施例の情報記録装置及び情報記録方法並びに記録プログラムでは、入力されたファイルをそのまま、又は形式のみを変換して記録先に記録するのではなく、記録先に収まりきれない場合は、画素数を変えずに容量を圧縮して記録するため、入力されたファイルが記録媒体９に記録できないといった不具合を防止し、適正な容量のファイルとして記録先に記録することができる。
【００５３】
なお、本実施例は入力されたファイルが記録先に収まらない場合にファイルの画素数を変えることなく容量を圧縮するものであるが、ファイルの画素数を特定の画素数に変換する第１の実施例とファイルの圧縮を行う本実施例とを組み合わせることもできる。その場合の手順について、図１１のフローチャート図を参照して説明する。
【００５４】
まず、ステップＳ３０１で、情報記録装置１の記録媒体装填部４にＣＤ−Ｒ／ＲＷやＤＶＤ±Ｒ／ＲＷ、ＤＶＤ−ＲＡＭ、Ｂｌｕ−ｒａｙディスク等の記録媒体９を装填し、必要に応じて、ステップＳ３０２で記録媒体９の所定の領域に記録媒体９を識別するための識別情報が記録されているか否かに基づいて記録媒体９を特定する。
【００５５】
次に、ステップＳ３０３で、情報記録装置１のメディア装填部２にメディア８を装填、又は機器接続部３にデジタルカメラ７を接続、又はネットワーク接続部を通信ネットワーク１８に接続し、ステップＳ３０４で、ファイル入力手段１０を用いて、デジタルカメラ７やメディア８に格納された画像ファイルやサーバ１９に記録された画像ファイルを入力する。
【００５６】
次に、ステップＳ３０５で、画素数比較手段１２を用いて、入力されたファイルのヘッダ情報などからファイルの画素数を取得し、このファイルの画素数と、予め定められた特定の画素数とを比較する。
【００５７】
そして、ステップＳ３０６で、入力されたファイルの画素数が特定の画素数と異なる場合（入力されたファイルの画素数が特定の画素数よりも高い場合と低い場合の双方を含む。）は、ステップＳ３０７で、入力されたファイルの画素を間引いたり、画素を補完するなどして特定の画素数に変換する。
【００５８】
次に、ステップＳ３０８で、容量比較手段１５を用いて、記録媒体９に予め記録された情報などから記録媒体９の記録可能な容量を取得し、この記録可能な容量と、特定の画素数に変換されたファイルの合計容量とを比較する。
【００５９】
そして、ステップＳ３０９で、入力されたファイルの容量が記録媒体９の記録可能な容量を超える場合は、ステップＳ３０８で、ファイル圧縮手段１６を用いて、入力されたファイルの画素数を変えずに、静止画像ファイルの色情報を減らしたり、動画ファイルの１秒当たりのフレーム数を減らすなどしてファイルの容量を圧縮し、全てのファイルが記録媒体９に収まるようにする。
【００６０】
次に、画像再生機器で再生可能なファイルを作成する場合は、ステップＳ３１０で、ファイル形式変換手段１３ｂを用いて、画像再生機器で再生可能な形式のファイルを作成し、ステップＳ３１１で、データ記録手段１４を用いて、特定の画素数に変換され、必要に応じて容量が圧縮されたファイル及び該ファイルを画像再生機器で再生可能な形式に変換したファイルの少なくとも一方、又はこれらの少なくとも一方のファイルと元の画像ファイルとを記録媒体９に記録する。その際、同様に、画像再生機器で再生可能な形式に変換したファイルと特定の画素数に変換され、必要に応じて容量が圧縮されたファイル及び元の画像ファイルの少なくとも一方とを記録媒体９に記録する場合は、家電機器用のファイルを記録媒体９の論理アドレス領域の内周側に書き込み、必要に応じてセッションをクローズした後、特定の画素数に変換され、必要に応じて容量が圧縮されたファイル及び元の画像ファイルの少なくとも一方のファイルや、必要に応じて縮小画像ファイル、スライドショープログラムなどのアプリケーション、スライドショーの設定ファイル、情報ファイルなどを記録媒体９の先に記録した家電機器用のファイルの外側に書き込む。
【００６１】
このように、入力されたファイルをそのまま、又は形式のみを変換して記録媒体９に記録するのではなく、特定の画素数で記録すると共に、入力されたファイルが記録媒体９に収まらない場合は、画素数を変えることなく容量を圧縮することにより、常に高画素数でファイルを記録することができ、価値の高い記録媒体９を作成することができる。
【００６２】
なお、上記各実施例では、記録媒体９にデジタルカメラ７やメディア８に記録されたファイルを書き込む構成としたが、本発明は上記実施例に限定されるものではなく、任意のファイルの書き込みに適用することができ、例えば、インターネットを介してダウンロードした音楽ファイルやコンテンツ、アプリケーション等を記録する場合も同様に適用することもできる。
【図面の簡単な説明】
【００６３】
【図１】本発明の第１の実施例に係る情報記録装置の構成を模式的に示す図である。
【図２】本発明の第１の実施例に係る情報記録装置の他の構成を模式的に示す図である。
【図３】本発明の第１の実施例に係る情報記録装置の他の構成を模式的に示す図である。
【図４】本発明の第１の実施例に係る情報記録装置の他の構成を模式的に示す図である。
【図５】本発明の第１の実施例に係る情報記録装置の構成を示すブロック図である。
【図６】本発明の第１の実施例に係る情報記録方法の手順を示すフローチャート図である。
【図７】本発明の第１の実施例に係る記録媒体におけるファイルの記録領域を示す図である。
【図８】記録媒体（ＣＤ−Ｒ）の構造を模式的に示す図である。
【図９】本発明の第２の実施例に係る情報記録装置の構成を示すブロック図である。
【図１０】本発明の第２の実施例に係る情報記録方法の手順を示すフローチャート図である。
【図１１】本発明の第２の実施例に係る情報記録方法の他の手順を示すフローチャート図である。
【符号の説明】
【００６４】
１  情報記録装置
２  メディア装填部
３  機器接続部
４  記録媒体装填部
５  表示部
６  操作部
７  デジタルカメラ
７ａ  カメラ付き携帯電話機
８  メディア
１０  ファイル入力手段
１１  情報入力手段
１２  画素数比較手段
１３  ファイル編集手段
１３ａ  画素数変換手段
１３ｂ  ファイル変換手段
１４  ファイル記録手段
１５  容量比較手段
１６  ファイル圧縮手段
１７  内部記憶手段
１８  通信ネットワーク
１９  サーバ
１００  ポリカーボネート基板
１０１  有機色素層
１０２  反射層
１０３  保護層
【図１】
2005160049.tif 000003
【図２】
2005160049.tif 000004
【図３】
2005160049.tif 000005
【図４】
2005160049.tif 000006
【図５】
2005160049.tif 000007
【図６】
2005160049.tif 000008
【図７】
2005160049.tif 000009
【図８】
2005160049.tif 000010
【図９】
2005160049.tif 000011
【図１０】
2005160049.tif 000012
【図１１】
2005160049.tif 000013